Podtech/llm-jp-corpus-v4-ja_patent huggingface dataset:
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
ＸＹＺ三次元座標系におけるＺ軸まわりのトルクを検出するトルクセンサであって、
ＸＹＺ三次元座標系の原点を中心とする第１の固定／受力体と、
Ｚ軸方向から見て前記第１の固定／受力体を取り囲むように配置された環状の第２の固定／受力体と、
第１端が前記第１の固定／受力体によって支持され、第２端が前記第２の固定／受力体によって支持された第1の弾性変形体と、
第３端が前記第１の固定／受力体によって支持され、第４端が前記第２の固定／受力体によって支持された第２の弾性変形体と、
前記第1の弾性変形体に配置された第1の変位電極と、前記第1の変位電極に対向する第1の固定電極とを有する第1の静電容量素子と、
前記第２の弾性変形体に配置された第２の変位電極と、前記第２の変位電極に対向する第２の固定電極とを有する第２の静電容量素子と、
前記第２の固定／受力体から延び出るように設けられており、前記第１の静電容量素子の静電容量値および前記第２の静電容量素子の静電容量値を伝える電気配線と、
前記電気配線に接続されており、前記Ｚ軸まわりのトルクを示す電気信号を出力する検出回路と、を備え、
前記第１の固定／受力体および前記第２の固定／受力体のうちの一方は、ＸＹＺ三次元座標系に対して固定され、前記第１の固定／受力体および前記第２の固定／受力体のうちの他方は、前記Ｚ軸まわりのトルクの作用によってＺ軸回りに回動し、
前記第１の固定電極は、前記第１の変位電極と平行に配置されるように、前記第２の固定／受力体の内周面に設けられ前記第１の変位電極と平行な面が形成された第１の台座の上に配置され、
前記第２の固定電極は、前記第２の変位電極と平行に配置されるように、前記第２の固定／受力体の内周面に設けられ前記第２の変位電極と平行な面が形成された第２の台座の上に配置され、
前記第１の弾性変形体の前記第２端と前記第２の弾性変形体の前記第４端は、Ｚ軸方向から見てＸ軸またはＹ軸に関して対称に配置されていることを特徴とするトルクセンサ。
【請求項２】
前記第１の弾性変形体および前記第２の弾性変形体は、Ｚ軸方向から見てＸＹＺ三次元座標系の原点に関して点対称に配置されていることを特徴とする請求項１に記載のトルクセンサ。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
遊技球を用いた遊技が行われる遊技盤と該遊技盤を収容する遊技機枠とを備える遊技機であって、
遊技機外部から遊技球を受け入れて下流側に誘導すると共に異物を下方に落下させ得る放出孔が少なくとも一部に形成される遊技球供給部と、
前記放出孔の下方に配置され、電子部品が実装される基板を収容すると共に通気孔が形成される基板ケースと、
前記遊技球供給部と前記基板ケースとの間に設けられると共に、前記遊技機の前後方向に所定の幅を有する上板部材と、
前記基板ケースの後方に設けられると共に、前記遊技機の上下方向に所定の長さを有する裏カバー部材と、
を備え、
前記基板ケースは複数設けられ、
前記複数の基板ケースのうち少なくとも一部の基板ケースは、前記遊技盤が前記遊技機枠に取り付けられた状態で上面となる壁部に通気孔を有さず、他の壁部に前記通気孔を有し、
前記上板部材と前記裏カバー部材とが当接状態で設けられるものであり、当該当接状態を解除して前記裏カバー部材だけを移動させることが可能とされる、
ことを特徴とする遊技機。
【手続補正２】
【補正対象書類名】明細書
【補正対象項目名】０００７
【補正方法】変更
【補正の内容】
【０００７】
（解決手段１）
遊技機において、
「遊技球を用いた遊技が行われる遊技盤と該遊技盤を収容する遊技機枠とを備える遊技機であって、
遊技機外部から遊技球を受け入れて下流側に誘導すると共に異物を下方に落下させ得る放出孔が少なくとも一部に形成される遊技球供給部と、
前記放出孔の下方に配置され、電子部品が実装される基板を収容すると共に通気孔が形成される基板ケースと、
前記遊技球供給部と前記基板ケースとの間に設けられると共に、前記遊技機の前後方向に所定の幅を有する上板部材と、
前記基板ケースの後方に設けられると共に、前記遊技機の上下方向に所定の長さを有する裏カバー部材と、
を備え、
前記基板ケースは複数設けられ、
前記複数の基板ケースのうち少なくとも一部の基板ケースは、前記遊技盤が前記遊技機枠に取り付けられた状態で上面となる壁部に通気孔を有さず、他の壁部に前記通気孔を有し、
前記上板部材と前記裏カバー部材とが当接状態で設けられるものであり、当該当接状態を解除して前記裏カバー部材だけを移動させることが可能とされる、」
ことを特徴とする。
【手続補正３】
【補正対象書類名】明細書
【補正対象項目名】０００９
【補正方法】変更
【補正の内容】
【０００９】
タンクレールは、流下する遊技球によって生ずる異物が落下することができる孔が形成されている。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本実施形態では、例えば、図１１０の演出制御ユニット１５００が基板ケースに相当し、図１１０の遊技盤５が遊技盤に相当し、図１１０の球タンク５５２とタンクレール５５３が遊技球供給部相当し、図１のパチンコ機１が遊技機に相当し、図１１０の切り欠き部５５３ａａが放出孔に相当する。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
遊技区間として、通常区間と有利区間とを有し、
所定の記憶手段と、
抽選手段と、
第１表示手段と、
第２表示手段と
を備え、
有利区間では、ストップスイッチの有利な操作態様に関する情報を表示する場合を有し、
通常区間では、ストップスイッチの有利な操作態様に関する情報を表示せず、
有利区間における遊技状態として、第１遊技状態である場合を有し、
第１遊技状態は、特別図柄組合せが停止した場合に移行可能な遊技状態であり、
有利区間での遊技の実行に応じて前記所定の記憶手段の値を更新可能とし、
前記所定の記憶手段に記憶されている値が所定の条件を満たしたときは、有利区間を終了するよう構成され、
有利区間における遊技状態が第１遊技状態である状況において、遊技の実行に応じて前記所定の記憶手段の値を更新可能とし、前記所定の記憶手段の記憶されている値が前記所定の条件を満たしたときは、有利区間を終了するよう構成され、
有利区間において、ストップスイッチの有利な操作態様に関する情報を第１表示手段に表示可能であり、
有利区間において、ストップスイッチの有利な操作態様に関する情報を第２表示手段に表示可能であり、
ストップスイッチの有利な操作態様に関する情報を第１表示手段に表示しており、ストップスイッチの有利な操作態様に関する情報を第２表示手段に表示している遊技において、第１停止操作としてストップスイッチの有利な操作態様に関する情報に対応したストップスイッチとは異なるストップスイッチが操作された場合には、当該第１停止操作がなされる前に第１表示手段に表示していたストップスイッチの有利な操作態様に関する情報を第１表示手段に表示したままであるが、当該第１停止操作がなされる前に第２表示手段に表示していたストップスイッチの有利な操作態様に関する情報を第２表示手段に表示していない
ことを特徴とする回胴式遊技機。
【手続補正２】
【補正対象書類名】明細書
【補正対象項目名】０００６
【補正方法】変更
【補正の内容】
【０００６】
本態様に係る回胴式遊技機は、
遊技区間として、通常区間と有利区間とを有し、
所定の記憶手段と、
抽選手段と、
第１表示手段と、
第２表示手段と
を備え、
有利区間では、ストップスイッチの有利な操作態様に関する情報を表示する場合を有し、
通常区間では、ストップスイッチの有利な操作態様に関する情報を表示せず、
有利区間における遊技状態として、第１遊技状態である場合を有し、
第１遊技状態は、特別図柄組合せが停止した場合に移行可能な遊技状態であり、
有利区間での遊技の実行に応じて前記所定の記憶手段の値を更新可能とし、
前記所定の記憶手段に記憶されている値が所定の条件を満たしたときは、有利区間を終了するよう構成され、
有利区間における遊技状態が第１遊技状態である状況において、遊技の実行に応じて前記所定の記憶手段の値を更新可能とし、前記所定の記憶手段の記憶されている値が前記所定の条件を満たしたときは、有利区間を終了するよう構成され、
有利区間において、ストップスイッチの有利な操作態様に関する情報を第１表示手段に表示可能であり、
有利区間において、ストップスイッチの有利な操作態様に関する情報を第２表示手段に表示可能であり、
ストップスイッチの有利な操作態様に関する情報を第１表示手段に表示しており、ストップスイッチの有利な操作態様に関する情報を第２表示手段に表示している遊技において、第１停止操作としてストップスイッチの有利な操作態様に関する情報に対応したストップスイッチとは異なるストップスイッチが操作された場合には、当該第１停止操作がなされる前に第１表示手段に表示していたストップスイッチの有利な操作態様に関する情報を第１表示手段に表示したままであるが、当該第１停止操作がなされる前に第２表示手段に表示していたストップスイッチの有利な操作態様に関する情報を第２表示手段に表示していない
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
遊技に関する情報を記憶可能な記憶手段を備え、
再遊技役の抽選に関する遊技状態として、第１遊技状態（例えば、ＲＴ０）と、第２遊技状態（例えば、ＲＴ１）と、第３遊技状態（例えば、ＲＴ３）と、を少なくとも有しており、
所定の開始条件を充足した後から所定ゲーム数を上限として継続可能な遊技区間である有利区間と、有利区間以外の遊技区間である非有利区間とを有し、
前記非有利区間として、通常区間と、通常区間とは異なる遊技区間である転落待ち区間とを少なくとも有しており、
前記有利区間である状況かつ、前記第２遊技状態（例えば、ＲＴ１）である状況において、前記有利区間の終了条件を満たした後は、前記転落待ち区間かつ前記第２遊技状態（例えば、ＲＴ１）となり得るよう構成されており、
前記転落待ち区間では、当選役に基づいて前記有利区間とはならないよう構成されており、
前記転落待ち区間である状況にて前記第２遊技状態（例えば、ＲＴ１）から前記第１遊技状態（例えば、ＲＴ０）への移行条件を充足した場合に、前記通常区間かつ前記第１遊技状態（例えば、ＲＴ０）になるよう構成されており、
前記転落待ち区間である状況にて電源がオフとなり、その後電源がオンとなって所定条件を満たすことによって前記記憶手段の所定のクリア処理が実行された場合には、前記通常区間かつ前記第３遊技状態（例えば、ＲＴ３）となるよう構成されている
ことを特徴とする回胴式遊技機である。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
遊技区間として、通常区間と有利区間とを有し、
有利区間であるときに点灯する場合を有する有利区間ランプと、
有利区間の遊技回数に関する情報を記憶可能な第１記憶手段と、
抽選手段と、
表示手段と
を備え、
有利区間では、ストップスイッチの有利な操作情報を報知する場合を有し、
通常区間では、ストップスイッチの有利な操作情報を報知せず、
有利区間への移行条件を満たした場合に、第１記憶手段に特定値を記憶可能とし、
有利区間における遊技の実行に応じて、第１記憶手段に記憶されている情報を減算可能とし、
第１記憶手段に記憶されている値が所定値になったときは、有利区間を終了する条件を満たし、
有利区間の遊技状態として、第１遊技状態と第２遊技状態とを有し、
第１遊技状態において、第１情報を表示手段に表示可能であり、
第１遊技状態において、ストップスイッチの有利な操作情報に関する情報である第２情報を表示手段に表示可能であり、
第１遊技状態におけるストップスイッチの有利な操作情報を報知する遊技が実行され、第１情報と第２情報とが表示されている状況において、第１停止操作としてストップスイッチの有利な操作情報に対応したストップスイッチが操作された場合には、第２情報の一部を消去し、第１情報は表示されたままとなり、
第１遊技状態におけるストップスイッチの有利な操作情報を報知する遊技が実行され、第１情報と第２情報とが表示されている状況において、第１停止操作としてストップスイッチの有利な操作情報に対応したストップスイッチとは異なるストップスイッチが操作された場合には、第２情報を消去し、第１情報は表示されたままとなるよう構成されている
ことを特徴とする回胴式遊技機。
【手続補正２】
【補正対象書類名】明細書
【補正対象項目名】０００６
【補正方法】変更
【補正の内容】
【０００６】
本態様に係る回胴式遊技機は、
遊技区間として、通常区間と有利区間とを有し、
有利区間であるときに点灯する場合を有する有利区間ランプと、
有利区間の遊技回数に関する情報を記憶可能な第１記憶手段と、
抽選手段と、
表示手段と
を備え、
有利区間では、ストップスイッチの有利な操作情報を報知する場合を有し、
通常区間では、ストップスイッチの有利な操作情報を報知せず、
有利区間への移行条件を満たした場合に、第１記憶手段に特定値を記憶可能とし、
有利区間における遊技の実行に応じて、第１記憶手段に記憶されている情報を減算可能とし、
第１記憶手段に記憶されている値が所定値になったときは、有利区間を終了する条件を満たし、
有利区間の遊技状態として、第１遊技状態と第２遊技状態とを有し、
第１遊技状態において、第１情報を表示手段に表示可能であり、
第１遊技状態において、ストップスイッチの有利な操作情報に関する情報である第２情報を表示手段に表示可能であり、
第１遊技状態におけるストップスイッチの有利な操作情報を報知する遊技が実行され、第１情報と第２情報とが表示されている状況において、第１停止操作としてストップスイッチの有利な操作情報に対応したストップスイッチが操作された場合には、第２情報の一部を消去し、第１情報は表示されたままとなり、
第１遊技状態におけるストップスイッチの有利な操作情報を報知する遊技が実行され、第１情報と第２情報とが表示されている状況において、第１停止操作としてストップスイッチの有利な操作情報に対応したストップスイッチとは異なるストップスイッチが操作された場合には、第２情報を消去し、第１情報は表示されたままとなるよう構成されていることを特徴とする回胴式遊技機である。
＜付記＞
尚、本態様とは異なる別態様について以下に列記しておくが、これらには何ら限定されることなく実施することが可能である。
本別態様に係る回胴式遊技機は、
再遊技役の抽選に関する遊技状態として、第１遊技状態（例えば、ＲＴ０）と、第１遊技状態とは異なる第２遊技状態（例えば、ＲＴ１）と、を少なくとも有しており、
所定の開始条件を充足した後から所定ゲーム数を上限として継続可能な遊技区間である有利区間と、有利区間以外の遊技区間である非有利区間とを有し、
前記非有利区間として、通常区間と、通常区間とは異なる遊技区間である転落待ち区間とを少なくとも有しており、
前記有利区間である状況かつ前記第２遊技状態（例えば、ＲＴ１）である状況において、前記有利区間の終了条件を満たした後は、前記転落待ち区間かつ前記第２遊技状態（例えば、ＲＴ１）となり得るよう構成されており、
前記転落待ち区間である状況かつ前記第２遊技状態（例えば、ＲＴ１）である状況において、所定の条件を満たした後は、前記通常区間かつ前記第１遊技状態（例えば、ＲＴ０）となり得るよう構成されており、
前記転落待ち区間では、当選役に基づいて前記有利区間とはならないよう構成されており、
前記転落待ち区間における特定の演出の発生率は、前記通常区間における特定の演出の発生率と異なる
ことを特徴とする回胴式遊技機である。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
遊技区間として、通常区間と有利区間とを有し、
有利区間であるときに点灯する場合を有する有利区間ランプと、
有利区間の遊技回数に関する情報を記憶可能な第１記憶手段と、
抽選手段と、
表示手段と
を備え、
有利区間では、ストップスイッチの有利な操作情報を報知する場合を有し、
通常区間では、ストップスイッチの有利な操作情報を報知せず、
有利区間への移行条件を満たした場合に、第１記憶手段に特定値を記憶可能とし、
有利区間における遊技の実行に応じて、第１記憶手段に記憶されている情報を減算可能とし、
第１記憶手段に記憶されている値が所定値になったときは、有利区間を終了する条件を満たし、
有利区間の遊技状態として、第１遊技状態と第２遊技状態とを有し、
第１遊技状態において、第１情報を表示手段に表示可能であり、
第１遊技状態において、第２情報を表示手段に表示可能であり、
第２情報は、第１遊技状態の延長に関する情報であり、
第１情報と第２情報とが表示され且つ表示領域が重複する場合があり、
第１情報と第２情報とが表示され且つ表示領域が重複した場合には、第１情報の方が第２情報よりも優先的に表示される
ことを特徴とする回胴式遊技機。
【手続補正２】
【補正対象書類名】明細書
【補正対象項目名】０００６
【補正方法】変更
【補正の内容】
【０００６】
本態様に係る回胴式遊技機は、
遊技区間として、通常区間と有利区間とを有し、
有利区間であるときに点灯する場合を有する有利区間ランプと、
有利区間の遊技回数に関する情報を記憶可能な第１記憶手段と、
抽選手段と、
表示手段と
を備え、
有利区間では、ストップスイッチの有利な操作情報を報知する場合を有し、
通常区間では、ストップスイッチの有利な操作情報を報知せず、
有利区間への移行条件を満たした場合に、第１記憶手段に特定値を記憶可能とし、
有利区間における遊技の実行に応じて、第１記憶手段に記憶されている情報を減算可能とし、
第１記憶手段に記憶されている値が所定値になったときは、有利区間を終了する条件を満たし、
有利区間の遊技状態として、第１遊技状態と第２遊技状態とを有し、
第１遊技状態において、第１情報を表示手段に表示可能であり、
第１遊技状態において、第２情報を表示手段に表示可能であり、
第２情報は、第１遊技状態の延長に関する情報であり、
第１情報と第２情報とが表示され且つ表示領域が重複する場合があり、
第１情報と第２情報とが表示され且つ表示領域が重複した場合には、第１情報の方が第２情報よりも優先的に表示される
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
再遊技役の抽選に関する遊技状態として、第１遊技状態（例えば、ＲＴ０）と、第１遊技状態とは異なる第２遊技状態（例えば、ＲＴ１）と、を少なくとも有しており、
所定の開始条件を充足した後から所定ゲーム数を上限として継続可能な遊技区間である有利区間と、有利区間以外の遊技区間である非有利区間とを有し、
前記有利区間であり、かつ、前記第２遊技状態（例えば、ＲＴ１）である第１の遊技期間と、前記非有利区間であり、かつ、前記第２遊技状態（例えば、ＲＴ１）である第２の遊技期間と、を少なくとも有しており、
前記第１の遊技期間において前記有利区間の終了条件を満たした遊技の次の遊技から前記第２の遊技期間となり得るよう構成されており、
前記第１の遊技期間において前記有利区間の終了条件を満たした遊技の次の遊技から実行される前記第２の遊技期間では、当選役に基づいて前記有利区間とはならない
ことを特徴とする回胴式遊技機である。
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
楕円形や多角形の土台上に一箇所の高壁面部と一箇所以上の低壁面部を有し、土台底面の水平方向に対して、前記高壁面部側の芯方向は垂直に近い方向で立ち、前記低壁面部側は上方外側に向け垂直以上で立ち、土台部分が厚みや材質によって重量の大半を有することを特徴とする、曲面体固定容器。
【請求項２】
頂上と頂上線を緩やかに有した高壁面部を端部か中心に置いて、並列、縦列、対称、それらのミックス形状、又は高壁面部より放射状に又は高壁面部を囲んで又は高壁面部を兼用して個室が二箇所以上配列し、前記高壁面部から延長した低壁面部で仕切られて有した前記個室の角部等に適宜、肉付けをした滑らかな全体形状で、重心位置が前記高壁面部側にあることを特徴とする、請求項１記載の曲面体固定容器。
【請求項３】
楕円球体の長径方向に対して直交方向で前記楕円球体の腹部を指先でつまみ上げられる空間ないしは隙間を収納した前記楕円球体の上方に有し、底壁面部や仕切りに内側や下側に向けて土台上面の位置までの欠け所を有することを特徴とする、請求項１、２記載の曲面体固定容器。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
面の上に直接外科手術用マスクを配置するためのデバイスにおいて、前記外科手術用マスクが、前記外科手術用マスクから延在する少なくとも１つのボスを具えており、前記デバイスが、
ａ．調節可能な支持脚であって、前記調節可能な支持脚が、
第１ねじ要素であって、前記少なくとも１つのボスに前記第１ねじ要素を固定するコネクタを含む第１ねじ要素と、
前記第１ねじ要素と回転により螺合するように構成された第２ねじ要素であって、前記第１ねじ要素から延在させることが可能な第２ねじ要素と、
前記第２ねじ要素と共に回転するように前記第２ねじ要素に固定された回転可能なハンドルであって、本体部と、固定された第２ねじ要素から離れるように延在する隆起部とを具える回転可能なハンドルとを含む、調節可能な支持脚と、
ｂ．前記調節可能な支持脚と隣接して配置される鏡であって、前記鏡が、外周部と、反射面と、前記外周部の内側に配置されて前記鏡を貫通するオリフィスとを具え、前記隆起部が、前記鏡のオリフィス内に延在し、前記鏡に対して回転可能であり、前記回転可能なハンドルの本体部が、前記隆起部が回転している間、前記鏡の反射面の位置またはその上に留まり、前記回転可能なハンドルの回転が、前記外科手術用マスクに対する第２ねじ要素の動きを引き起こす、鏡と、
を具えることを特徴とするデバイス。
【請求項２】
請求項１に記載されたデバイスにおいて、前記第１ねじ要素が、中空で内側にねじ山が形成された要素を含むことを特徴とするデバイス。
【請求項３】
請求項１に記載されたデバイスにおいて、前記第２ねじ要素が、外側にねじ山が形成された要素を含むことを特徴とするデバイス。
【請求項４】
請求項１に記載されたデバイスにおいて、前記回転可能なハンドルの本体部が、前記隆起部と隣接する湾曲した外側面を具えることを特徴とするデバイス。
【請求項５】
請求項１に記載されたデバイスにおいて、前記少なくとも１つのボスに前記第１ねじ要素を固定するコネクタが、マスチックを具えることを特徴とするデバイス。
【請求項６】
請求項１に記載のデバイスにおいて、
前記少なくとも１つのボスが第１のボスと第２のボスを具えており、前記調節可能な支持脚が、第１の調節可能な支持脚と、第２の調節可能な支持脚とを具える場合に、前記第２の調節可能な支持脚は、
第１ねじ要素であって、前記第２のボスに第１ねじ要素を固定するコネクタを含む第１ねじ要素と、
前記第１ねじ要素と回転により螺合するように構成された第２ねじ要素であって、前記第１ねじ要素から延在させることが可能な第２ねじ要素と、
前記第２ねじ要素と共に回転するように前記第２ねじ要素に固定された回転可能なハンドルであって、本体部と、第２ねじ要素から離れるように延在する隆起部とを具える回転可能なハンドルと、を含み、
前記鏡のオリフィスが、鏡の第１オリフィスと、前記鏡の外周部の内側に配置されて前記鏡の反射面を貫通する鏡の第２オリフィスとを具えており、前記第２の調節可能な支持脚の前記回転可能なハンドルの隆起部が、前記鏡に対して回転するように、前記鏡の第２オリフィス内に延在し、前記第２の調節可能な支持脚の前記回転可能なハンドルの本体部が、前記第２の調節可能な支持脚の前記回転可能なハンドルが回転している間、前記鏡の反射面の位置またはその上に留まり、前記第２の調節可能な支持脚の前記ハンドルの回転が、前記外科手術用マスクに対する前記第２の調節可能な支持脚の第２ねじ要素の動きを引き起こす、ことを特徴とするデバイス。
【請求項７】
請求項６に記載のデバイスにおいて、前記第２の調節可能な支持脚の前記第１ねじ要素が、外側にねじ山が形成された要素を含むことを特徴とするデバイス。
【請求項８】
請求項６に記載のデバイスにおいて、前記第２の調節可能な支持脚の前記第２ねじ要素が、外側にねじ山を形成された要素を含むことを特徴とするデバイス。
【請求項９】
請求項６に記載のデバイスにおいて、前記第２の調節可能な支持脚の前記回転可能なハンドルの本体部が、前記隆起部と隣接する湾曲した外側面を具えることを特徴とするデバイス。
【請求項１０】
請求項６に記載のデバイスにおいて、前記第２の調節可能な支持脚の前記第１ねじ要素を第２のボスに固定する前記コネクタが、マスチックを具えることを特徴とするデバイス。
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
インクを収容可能な容器部と、
前記容器部の一方の端部に形成され、前記容器部内の前記インクを外部に流出可能な流出口を備えた導出部と、
前記容器部の少なくとも前記導出部と反対側の端部を覆うカバーと、を備えた、
ことを特徴とするインクボトル。
【請求項２】
請求項１に記載のインクボトルであって、
前記容器部は直方体状の外観を有する
ことを特徴とするインクボトル。
【請求項３】
請求項１または請求項２に記載のインクボトルであって、
前記導出部に設けられた弁を備える、
ことを特徴とするインクボトル。
【請求項４】
請求項１〜請求項３の何れか一項に記載のインクボトルであって、
前記容器部は可撓性を有し、
前記容器部内に収容され、前記容器部の圧搾変形を規制する規制部材と、を備える、
ことを特徴とするインクボトル。
【請求項５】
請求項１に記載のインクボトルにおいて、
前記容器部は、インクを収容可能な空間と、前記空間に外部から大気を導入可能な開口と、を備え、
前記導出部に設けられた弁と、
前記容器部の前記空間の外部に設けられ、前記開口を開閉自在に閉塞する閉塞部と、を備える、
ことを特徴とするインクボトル。
【請求項６】
請求項５に記載のインクボトルにおいて、
前記インクボトルは、外殻の一部が陥没した陥没部を有し、
前記開口は、前記インクボトルの前記陥没部に形成されている、
ことを特徴とするインクボトル。
【請求項７】
請求項５又は６に記載のインクボトルにおいて、
前記開口が、前記容器部の前記導出部と反対側の端部に形成されている、
ことを特徴とするインクボトル。
【請求項８】
請求項１に記載のインクボトルにおいて、
前記容器部には、前記容器部の内部に通じる開口部が形成され、
さらに、
前記容器部の前記開口部を覆うことによって前記開口部を封止するフィルムと、
前記開口部に連通する前記流出口が形成され、前記容器部に着脱可能に装着されるノズル部材と、を備え、
前記ノズル部材には、前記ノズル部材が前記容器部に装着されたときに前記フィルムを突き破る破砕部が設けられている、
ことを特徴とするインクボトル。
【請求項９】
請求項８に記載のインクボトルにおいて、
前記ノズル部材が前記容器部に装着されたときに、前記フィルムには、少なくとも２箇所の破断部が形成される、
ことを特徴とするインクボトル。
【請求項１０】
請求項１に記載のインクボトルにおいて、
前記容器部内の前記インクが、液体と、前記液体に分散する粒子と、を含み、
さらに、前記容器部内に収容され、前記インクよりも密度が高い撹拌部材を備える、
ことを特徴とするインクボトル。
【請求項１１】
請求項１０に記載のインクボトルにおいて、
前記インクを前記流出口に導く導出流路に少なくとも２つの開口部が形成されている、
ことを特徴とするインクボトル。
【請求項１２】
液体と前記液体に分散する粒子とを含むインクを収容可能な容器部と、
前記容器部の一方の端部に形成され、前記容器部内の前記インクを外部に流出可能な流出口を備えた導出部と、
前記容器部内に収容され、前記インクよりも密度が高い撹拌部材と、を備えた、
ことを特徴とするインクボトル。
【請求項１３】
接続管を備えたインクタンクに、前記接続管を介してインクを供給可能なインクボトルであって、
インクを収容可能な容器部と、
前記容器部の端部に形成され、前記容器部内の前記インクを外部に流出可能な流出口を備えた導出部と、
前記導出部に設けられた、弾性材から成る弁と、
を備え、
前記弁は、前記接続管が前記導出部内に挿入されることにより開口するように構成され、
前記容器部は、直方体状の外観を有する、
ことを特徴とするインクボトル。
【請求項１４】
インクを収容可能なインク収容部と、前記インク収容部内のインクを外部に流出可能な流出口が形成されたノズル部と、を有するインクボトルと、
前記インクボトルに着脱可能であり、前記インクボトルに装着された状態で前記ノズル部に当接することによって前記流出口を封止する蓋部材と、を備え、
前記ノズル部及び前記蓋部材の少なくとも一方がポリプロピレンで構成されている、
ことを特徴とするボトルセット。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
枚葉状の記録媒体に液体を吐出して記録を行う記録装置であって、
前記記録媒体を搬送する搬送手段と、
複数の吐出口が配列され、前記吐出口から前記記録媒体へ液体を吐出する記録手段と、
前記記録装置の内部の湿度を取得する湿度取得手段と、
前記記録媒体の単位面積当たりの前記液体の吐出回数である記録率を取得する記録率取得手段と、
前記記録媒体として、第１の記録媒体を搬送方向に搬送し、続いて第２の記録媒体を前記搬送方向に搬送するときに、前記第１の記録媒体の前記搬送方向における後端が所定の位置に到達してから、前記第２の記録媒体の前記搬送方向における先端が前記所定の位置に到達するまでの時間を搬送間隔とし、前記湿度と、前記第１の記録媒体における前記記録率と、に基づいて、前記搬送間隔を設定する搬送間隔設定手段と、
を有することを特徴とする記録装置。
【請求項２】
前記記録率取得手段は、前記記録媒体の前記搬送方向における長さと、前記液体を吐出した回数と、に基づいて前記記録率を取得することを特徴とする請求項１に記載の記録装置。
【請求項３】
前記記録率取得手段は、隣接する所定数の前記吐出口をブロックとし、該ブロックに含まれる前記吐出口が吐出する回数に基づいて、前記記録率を取得することを特徴とする請求項１または請求項２に記載の記録装置。
【請求項４】
前記搬送間隔設定手段は、前記湿度が高くなることに応じて、前記搬送間隔を長くすることを特徴とする、請求項１乃至請求項３のいずれか１項に記載の記録装置。
【請求項５】
前記搬送間隔設定手段は、前記記録率が高くなることに応じて、前記搬送間隔を長くすることを特徴とする、請求項１乃至請求項４のいずれか１項に記載の記録装置。
【請求項６】
前記記録媒体の種類を取得する記録媒体種類取得手段をさらに有し、前記搬送間隔設定手段は、前記湿度と、前記第１の記録媒体における前記記録率と、前記記録媒体の種類と、に基づいて、前記搬送間隔を設定することを特徴とする請求項１乃至請求項５のいずれか１項に記載の記録装置。
【請求項７】
枚葉状の記録媒体に液体を吐出して記録を行う記録装置の制御方法であって、
前記記録媒体を搬送する搬送工程と、
前記記録装置の内部の湿度を取得する湿度取得工程と、
前記記録媒体の単位面積当たりの前記液体の吐出回数である記録率を取得する記録率取得工程と、
前記記録媒体として、第１の記録媒体を搬送方向に搬送し、続いて第２の記録媒体を前記搬送方向に搬送するときに、前記第１の記録媒体の前記搬送方向における後端が所定の位置に到達してから、前記第２の記録媒体の前記搬送方向における先端が前記所定の位置に到達するまでの時間を搬送間隔とし、前記湿度と、前記第１の記録媒体における前記記録率と、に基づいて、前記搬送間隔を設定する搬送間隔設定工程と、
を含むことを特徴とする記録装置の制御方法。
【手続補正２】
【補正対象書類名】明細書
【補正対象項目名】発明の名称
【補正方法】変更
【補正の内容】
【発明の名称】記録装置および記録装置の制御方法
【手続補正３】
【補正対象書類名】明細書
【補正対象項目名】０００１
【補正方法】変更
【補正の内容】
【０００１】
本発明は、搬送される記録媒体に液体を吐出して記録を行う記録装置および記録装置の制御方法に関する。
【手続補正４】
【補正対象書類名】明細書
【補正対象項目名】０００７
【補正方法】変更
【補正の内容】
【０００７】
よって本発明は、記録ヘッドに発生する結露に対応可能な記録装置および記録装置の制御方法を提供することを目的とする。
【手続補正５】
【補正対象書類名】明細書
【補正対象項目名】０００８
【補正方法】変更
【補正の内容】
【０００８】
そのため本発明の記録装置は、枚葉状の記録媒体に液体を吐出して記録を行う記録装置であって、前記記録媒体を搬送する搬送手段と、複数の吐出口が配列され、前記吐出口から前記記録媒体へ液体を吐出する記録手段と、前記記録装置の内部の湿度を取得する湿度取得手段と、前記記録媒体の単位面積当たりの前記液体の吐出回数である記録率を取得する記録率取得手段と、前記記録媒体として、第１の記録媒体を搬送方向に搬送し、続いて第２の記録媒体を前記搬送方向に搬送するときに、前記第１の記録媒体の前記搬送方向における後端が所定の位置に到達してから、前記第２の記録媒体の前記搬送方向における先端が前記所定の位置に到達するまでの時間を搬送間隔とし、前記湿度と、前記第１の記録媒体における前記記録率と、に基づいて、前記搬送間隔を設定する搬送間隔設定手段と、を有することを特徴とする。
【手続補正６】
【補正対象書類名】明細書
【補正対象項目名】０００９
【補正方法】変更
【補正の内容】
【０００９】
本発明によれば、記録ヘッドに発生する結露に対応可能な記録装置および記録装置の制御方法を提供することができる。
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
画像形成装置であって、
印刷手段と、
ＰＤＬ（Ｐａｇｅ  Ｄｅｓｃｒｉｐｔｉｏｎ  Ｌａｎｇｕａｇｅ）データに基づきラスターイメージデータを生成する第１の生成手段と、
ＰＤＬデータの受信に従って、前記受信したＰＤＬデータを解釈し、ページ単位のラスターイメージデータを生成し、当該生成したデータを所定の記憶領域に記憶する第２の生成手段と、
前記第２の生成手段による前記受信したＰＤＬデータに基づくページ単位のラスターイメージデータの生成中に、前記ＰＤＬデータを印刷する指示がなされたことに従って、前記第２の生成手段によるラスターイメージデータの生成を中断し、前記第２の生成手段によって生成が行われなかったページに対応するラスターイメージデータを生成するよう前記第１の生成手段を制御する制御手段と、を有し、
前記印刷手段は、前記第２の生成手段による前記受信したＰＤＬデータに基づくページ単位のラスターイメージデータの生成中に、前記ＰＤＬデータを印刷する指示がなされた場合、前記第１の生成手段により生成され前記所定の記憶領域に格納されたラスターイメージデータと、前記第２の生成手段により生成された残りのラスターイメージデータとに基づく画像をシート上に印刷することを特徴とする画像形成装置。
【請求項２】
前記第２の生成手段は、前記画像形成装置が有する汎用プロセッサがソフトウェアプログラムを実行し、当該ソフトウェアプログラムを実行する前記汎用プロセッサによってＰＤＬデータを解析させることによりラスターイメージデータを生成する生成手段であることを特徴とする請求項１に記載の画像形成装置。
【請求項３】
前記第１の生成手段は、前記第２の生成手段よりレンダリング速度が速いことを特徴とする請求項２に記載の画像形成装置。
【請求項４】
前記第１の生成手段は、前記第２の生成手段による前記汎用プロセッサによるＰＤＬデータの解析とは異なる処理系で、ＰＤＬデータを解釈する生成手段であることを特徴とする請求項２又は３に記載の画像形成装置。
【請求項５】
前記第２の生成手段を用いる事前のラスターイメージデータの生成を行うか否かを設定する設定手段を更に備え、
前記設定手段によって前記事前のラスターイメージデータの生成を行わないことが設定されている場合、前記ＰＤＬデータを受信した場合であっても、前記第２の生成手段による当該受信したＰＤＬデータの解析は行われないことを特徴とする請求項１乃至４のいずれか１項に記載の画像形成装置。
【請求項６】
前記ＰＤＬデータと印刷設定を少なくとも含む印刷ジョブを受信する受信手段を更に有し、
前記受信手段によって受信した印刷ジョブの印刷設定に前記事前のラスターイメージデータの生成を行うこと示す情報が含まれている場合、前記第２の生成手段は、前記設定手段によって前記事前のラスターイメージデータの生成を行わないことが設定されていたとしても、前記印刷ジョブの受信に従って、前記印刷ジョブに含まれる前記ＰＤＬデータの解析を開始することを特徴とする請求項５に記載の画像形成装置。
【請求項７】
第２の生成手段によるラスターイメージデータの生成を中断する場合、前記第２の生成手段は、前記印刷する指示を受け付けたタイミングで生成中のラスターイメージデータの生成が完了したタイミングで、前記ＰＤＬデータの解釈を中止することを特徴とする請求項１乃至６のいずれか１項に記載の画像形成装置。
【請求項８】
前記第２の生成手段によって解釈されていないＰＤＬデータを印刷する指示を受け付けた場合、前記制御手段は、当該印刷する指示を受け付けたＰＤＬデータに基づく全ページのラスターイメージデータを生成するよう、前記第１の生成手段を制御することを特徴とする請求項１乃至７のいずれか１項に記載の画像形成装置。
【請求項９】
前記第２の生成手段によって前記受信したＰＤＬデータに対応する全ページ分のラスターイメージデータが前記記憶領域に記憶された後に、当該ＰＤＬデータを印刷する指示を受け付けた場合、前記印刷手段は、前記記憶領域に記憶された前記全ページ分のラスターイメージデータに基づく画像をシート上に印刷することを特徴とする請求項１乃至８のいずれか１項に記載の画像形成装置。
【請求項１０】
印刷手段とラスターイメージプロセッサを有する画像形成装置の制御方法であって、
ＰＤＬデータの受信に従って、前記受信したＰＤＬデータを解釈し、ページ単位のラスターイメージデータを生成し、当該生成したデータを前記画像形成装置が有する所定の記憶領域に記憶する生成工程と、
前記生成工程で前記受信したＰＤＬデータに基づくページ単位のラスターイメージデータの生成中に、前記ＰＤＬデータを印刷する指示を受け付けたことに従って、前記生成工程が実行しているラスターイメージデータの生成を中断し、前記生成工程で生成が行われなかったページに対応するラスターイメージデータを生成するよう前記ラスターイメージプロセッサに前記ＰＤＬデータの解釈を依頼する依頼工程と、を有し、
前記生成工程による前記受信したＰＤＬデータに基づくページ単位のラスターイメージデータの生成中に、前記ＰＤＬデータを印刷する指示を受け付けた場合、前記所定の記憶領域に格納された前記ＰＤＬデータに対応するラスターイメージデータと、前記ラスターイメージプロセッサによって生成された残りのラスターイメージデータとに基づく画像が前記印刷手段によってシート上に印刷されることを特徴とする制御方法。
【請求項１１】
請求項１０に記載の画像処理装置の制御方法をコンピュータに実行させるためのプログラム。
【手続補正２】
【補正対象書類名】明細書
【補正対象項目名】発明の名称
【補正方法】変更
【補正の内容】
【発明の名称】画像形成装置、画像形成装置の制御方法、及びプログラム
【手続補正３】
【補正対象書類名】明細書
【補正対象項目名】０００９
【補正方法】変更
【補正の内容】
【０００９】
本発明の１つの側面としては、画像形成装置が印刷手段と、ＰＤＬ（Ｐａｇｅ  Ｄｅｓｃｒｉｐｔｉｏｎ  Ｌａｎｇｕａｇｅ）データに基づきラスターイメージデータを生成する第１の生成手段と、ＰＤＬデータの受信に従って、前記受信したＰＤＬデータを解釈し、ページ単位のラスターイメージデータを生成し、当該生成したデータを所定の記憶領域に記憶する第２の生成手段と、前記第２の生成手段による前記受信したＰＤＬデータに基づくページ単位のラスターイメージデータの生成中に、前記ＰＤＬデータを印刷する指示がなされたことに従って、前記第２の生成手段によるラスターイメージデータの生成を中断し、前記第２の生成手段によって生成が行われなかったページに対応するラスターイメージデータを生成するよう前記第１の生成手段を制御する制御手段と、を有し、前記印刷手段は、前記第２の生成手段による前記受信したＰＤＬデータに基づくページ単位のラスターイメージデータの生成中に、前記ＰＤＬデータを印刷する指示がなされた場合、前記第１の生成手段により生成され前記所定の記憶領域に格納されたラスターイメージデータと、前記第２の生成手段により生成された残りのラスターイメージデータとに基づく画像をシート上に印刷することを特徴とするものである。
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
第１記憶手段と、前記第１記憶手段からデータを読み出し、又は前記第１記憶手段にデータを書き込む第１処理手段と、前記第１記憶手段からデータを読み出し、又は前記第１記憶手段にデータを書き込む第２処理手段とを有する第１制御部と、
第２記憶手段と、前記第２記憶手段からデータを読み出し、又は前記第２記憶手段にデータを書き込む第３処理手段と、前記第２記憶手段からデータを読み出し、又は前記第２記憶手段にデータを書き込む第４処理手段とを有する第２制御部と、
前記第１制御部の前記第１記憶手段への時間単位のデータ転送量を出力するバンドモニタと、
前記データ転送量が所定値よりも大きい場合は、入力データが前記第１制御部の前記第１処理手段に送られて前記第１処理手段により処理されたデータが前記第２制御部の前記第４処理手段に送られるように制御し、前記データ転送量が前記所定値以下の場合は、前記入力データが前記第１制御部の前記第１処理手段に送られ、前記第１処理手段により処理されたデータが前記第１制御部の前記第２処理手段に送られるように制御する制御手段と、
を有することを特徴とする画像処理装置。
【請求項２】
前記データ転送量は、前記第１記憶手段と、前記第１処理手段及び前記第２処理手段とを接続するバスにおける単位時間当たりのデータ転送量であることを特徴とする請求項１に記載の画像処理装置。
【請求項３】
前記制御手段は、前記データ転送量が前記所定値よりも大きくなることに応じて、前記第１制御部の前記第２処理手段及び前記第２制御部の前記第４処理手段は、リアルタイム性を求められない画像処理を実行させることを特徴とする請求項１又は２に記載の画像処理装置。
【請求項４】
前記第２処理手段及び前記第４処理手段は、ループバック画像処理部を含むことを特徴とする請求項３に記載の画像処理装置。
【請求項５】
前記第１制御部と前記第２制御部とはバスを介して接続され、前記第１制御部の前記第１処理手段と前記第２処理手段は第１のバススイッチを介して接続され、前記第２制御部の前記第３処理手段と前記第４処理手段は第２のバススイッチを介して接続され、前記制御手段は、前記第１及び第２のバススイッチの切り替えを制御することにより、前記第１制御部の前記第１処理手段により処理されたデータを、前記第４処理手段に送るか、又は前記第１制御部の前記第１処理手段により処理されたデータを前記第２処理手段に送ることを特徴とする請求項１乃至４のいずれか１項に記載の画像処理装置。
【請求項６】
前記第１制御部は、前記第１のバススイッチの設定値を保持する第１保持手段を有し、前記第２制御部は、前記第２のバススイッチの設定値を保持する第２保持手段を有することを特徴とする請求項５に記載の画像処理装置。
【請求項７】
前記制御手段は、前記第１保持手段及び前記第２保持手段の設定値を設定することにより、前記第１制御部の前記第１処理手段により処理されたデータを前記第４処理手段に送るか、又は前記第１制御部の前記第１処理手段により処理されたデータを前記第２処理手段に送ることを特徴とする請求項６に記載の画像処理装置。
【請求項８】
前記制御手段は、前記データ転送量が前記所定値以下のとき、前記第１制御部だけでジョブを実行するように前記第１保持手段の設定値を設定することを特徴とする請求項６に記載の画像処理装置。
【請求項９】
前記バンドモニタは、前記第１制御部の前記第１処理手段と前記第１記憶手段との間、又は、前記第１制御部の前記第２処理手段と前記第１記憶手段との間に接続されていることを特徴とする請求項１乃至８のいずれか１項に記載の画像処理装置。
【請求項１０】
前記第１制御部は、前記画像処理装置に組み込まれているメインの制御部であり、前記第２制御部は、前記メインの制御部と着脱可能な機能拡張用の制御部であることを特徴とする請求項１乃至９のいずれか１項に記載の画像処理装置。
【請求項１１】
第１記憶手段と、前記第１記憶手段からデータを読み出し、又は前記第１記憶手段にデータを書き込む第１処理手段と、前記第１記憶手段からデータを読み出し、又は前記第１記憶手段にデータを書き込む第２処理手段とを有する第１制御部と、第２記憶手段と、前記第２記憶手段からデータを読み出し、又は前記第２記憶手段にデータを書き込む第３処理手段と、前記第２記憶手段からデータを読み出し、且つ、又は前記第２記憶手段にデータを書き込む第４処理手段とを有する第２制御部とを有する画像処理装置を制御する制御方法であって、
前記第１制御部の前記第１記憶手段への時間単位のデータ転送量を出力する工程と、
前記データ転送量が所定値よりも大きい場合、入力データが前記第１制御部の前記第１処理手段に送られて前記第１処理手段により処理されたデータが前記第２制御部の前記第４処理手段に送られるように制御し、
前記データ転送量が前記所定値以下の場合は、前記入力データが前記第１制御部の前記第１処理手段に送られ、前記第１処理手段により処理されたデータが前記第１制御部の前記第２処理手段に送られるように制御する制御工程と、
を有することを特徴とする制御方法。
【請求項１２】
コンピュータに、請求項１１に記載の制御方法の各工程を実行させるためのプログラム。
【手続補正２】
【補正対象書類名】明細書
【補正対象項目名】０００８
【補正方法】変更
【補正の内容】
【０００８】
上記目的を達成するために本発明の一態様に係る画像処理装置は以下のような構成を備える。即ち、
第１記憶手段と、前記第１記憶手段からデータを読み出し、又は前記第１記憶手段にデータを書き込む第１処理手段と、前記第１記憶手段からデータを読み出し、又は前記第１記憶手段にデータを書き込む第２処理手段とを有する第１制御部と、
第２記憶手段と、前記第２記憶手段からデータを読み出し、又は前記第２記憶手段にデータを書き込む第３処理手段と、前記第２記憶手段からデータを読み出し、又は前記第２記憶手段にデータを書き込む第４処理手段とを有する第２制御部と、
前記第１制御部の前記第１記憶手段への時間単位のデータ転送量を出力するバンドモニタと、
前記データ転送量が所定値よりも大きい場合は、入力データが前記第１制御部の前記第１処理手段に送られて前記第１処理手段により処理されたデータが前記第２制御部の前記第４処理手段に送られるように制御し、前記データ転送量が前記所定値以下の場合は、前記入力データが前記第１制御部の前記第１処理手段に送られ、前記第１処理手段により処理されたデータが前記第１制御部の前記第２処理手段に送られるように制御する制御手段と、を有することを特徴とする。
【手続補正３】
【補正対象書類名】明細書
【補正対象項目名】００６３
【補正方法】変更
【補正の内容】
【００６３】
図８は、本実施形態に係る複合機１００のリングバススイッチ２２０（或いは２２１）によるリングバスの接続制御の一例を説明するブロック図である。特に図８はメインコントローラ部２００内でリングバスが完結する場合、つまり拡張コントローラ部２０１を使用しない場合の接続制御を示している。また図９は、リングバススイッチ設定部２７０の構成を説明するブロック図である。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
Ｄ-マンニトール及びポリエチレングリコールを含む、腸溶層の破損防止用組成物。
【請求項２】
Ｄ-マンニトール及びポリエチレングリコールの比が、１０：１〜１：１である請求項１記載の組成物。
【請求項３】
ポリエチレングリコールが、ポリエチレングリコール４００、ポリエチレングリコール４０００、ポリエチレングリコール６０００から選択される１種又は２種以上である請求項１又は２記載の組成物。
【請求項４】
多層構造を有する腸溶性顆粒において、腸溶層及び／又は腸溶層より外側にある層を請求項１〜３のいずれか１項記載の組成物で被覆することを特徴とする腸溶性顆粒。
【請求項５】
腸溶性顆粒に含まれる主薬成分が、プロトンポンプ阻害薬である請求項４記載の腸溶性顆粒。
【請求項６】
請求項４又は５記載の腸溶性顆粒を含有する固形製剤。
【請求項７】
錠剤である請求項６記載の固形製剤。
【請求項８】
口腔内崩壊錠である請求項６記載の固形製剤。
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
加工物上の溶接作業のために入力電力を受け、且つ溶接波形を溶接電極へ出力するように構成された溶接電力変換器と、
前記溶接電極と前記加工物との間の短絡事象を検出し、且つ前記溶接電極と前記加工物との間の短絡解除事象を検出する短絡検出回路と、
タイマを有するコントローラであって、前記タイマは、前記短絡解除事象の前記検出で開始し、前記コントローラは、第１の継続時間と第２の継続時間とを有する、コントローラと
を含む溶接システムであって、前記溶接波形は、
前記短絡事象の検出後に開始される短絡解除部分と、
前記短絡解除事象の検出後に開始されるアーク生成部分であって、前記第１の継続時間にわたって維持されるピーク電流を有する、アーク生成部分と、
前記溶接電極と前記加工物との間の接触を促進する短絡促進部分であって、短絡促進事象は、前記第２の継続時間の後に開始される、短絡促進部分と
を含む、溶接システム。
【請求項２】
前記短絡解除部分は、３００〜６００アンペアの範囲のピーク電流レベルを有する、請求項１に記載の溶接システム。
【請求項３】
前記短絡解除部分から前記アーク生成部分への遷移における電流レベルは、０〜７５アンペアの範囲である、請求項１に記載の溶接システム。
【請求項４】
前記アーク生成部分の前記ピーク電流は、２５０〜３００アンペアの範囲である、請求項１に記載の溶接システム。
【請求項５】
前記アーク生成部分の前記ピーク電流は、前記短絡解除部分の前記ピーク電流の６０〜８５％の範囲である、請求項２に記載の溶接システム。
【請求項６】
前記第１の継続時間は、３〜１０ｍｓの範囲である、請求項１に記載の溶接システム。
【請求項７】
前記第１の継続時間は、４〜８ｍｓの範囲である、請求項１に記載の溶接システム。
【請求項８】
前記第２の継続時間は、１０〜３５ｍｓの範囲である、請求項１に記載の溶接システム。
【請求項９】
前記第２の継続時間は、１５〜２５ｍｓの範囲である、請求項１に記載の溶接システム。
【請求項１０】
前記第２の継続時間の終了時の電流レベルは、１７５〜２２５アンペアの範囲である、請求項１に記載の溶接システム。
【請求項１１】
前記第２の継続時間の終了時の電流レベルは、前記アーク生成部分の前記ピーク電流の５５〜７５％の範囲である、請求項１に記載の溶接システム。
【請求項１２】
前記短絡促進部分中の電流レベルは、０〜５０アンペアの範囲である、請求項１に記載の溶接システム。
【請求項１３】
溶接される加工物上に溶接作業のための溶接電力変換器を設ける工程と、
前記加工物上での前記溶接作業のために、前記溶接電力変換器から溶接電極へ溶接波形を出力する工程と、
前記溶接電極と前記加工物との間の短絡事象を検出する工程と、
前記短絡事象の検出後に前記溶接波形の短絡解除部分を出力する工程と、
前記溶接電極と前記加工物との間の短絡解除事象を検出する工程と、
前記短絡解除事象の前記検出後に前記溶接波形のアーク生成部分を出力する工程であって、前記アーク生成部分は、ピーク電流レベルを有する、工程と、
第１の継続時間にわたって前記ピーク電流レベルを維持し、且つ第２の継続時間にわたって前記アーク生成部分を維持する工程と、
前記第２の継続時間の後に前記溶接波形の短絡促進部分を出力する工程と
を含む溶接方法。
【請求項１４】
前記短絡解除部分は、３００〜６００アンペアの範囲のピーク電流レベルを有する、請求項１３に記載の溶接方法。
【請求項１５】
前記短絡解除部分から前記アーク生成部分への遷移における電流レベルは、０〜７５アンペアの範囲である、請求項１３に記載の溶接方法。
【請求項１６】
前記アーク生成部分の前記ピーク電流レベルは、２５０〜３００アンペアの範囲である、請求項１３に記載の溶接方法。
【請求項１７】
前記アーク生成部分の前記ピーク電流レベルは、前記短絡解除部分のピーク電流レベルの６０〜８５％の範囲である、請求項１３に記載の溶接方法。
【請求項１８】
前記第１の継続時間は、３〜１０ｍｓの範囲である、請求項１３に記載の溶接方法。
【請求項１９】
前記第１の継続時間は、４〜８ｍｓの範囲である、請求項１３に記載の溶接方法。
【請求項２０】
前記第２の継続時間は、１０〜３５ｍｓの範囲である、請求項１３に記載の溶接方法。
【請求項２１】
前記第２の継続時間は、１５〜２５ｍｓの範囲である、請求項１３に記載の溶接方法。
【請求項２２】
前記第２の継続時間の終了時の電流レベルは、１７５〜２２５アンペアの範囲である、請求項１３に記載の溶接方法。
【請求項２３】
前記第２の継続時間の終了時の電流レベルは、前記アーク生成部分の前記ピーク電流レベルの５５〜７５％の範囲である、請求項１３に記載の溶接方法。
【請求項２４】
前記短絡促進部分は、０〜５０アンペアの範囲の電流レベルを有する、請求項１３に記載の溶接方法。